(57)【要約】      （修正有）【課題】複数の印刷ジョブを結合した場合に、結合後の印刷ジョブの内容を容易に確認することができる画像形成装置及びプログラムを提供する。【解決手段】画像形成装置４は、複数の印刷要求を一つの印刷要求として結合する印刷要求結合部３４と、印刷要求結合部３４により結合された印刷要求に従って形成される頁のうち表示対象の頁の画像を縮小して表示する縮小表示部３８とを有し、縮小表示部３８は、印刷要求結合部３４による結合対象の各印刷要求から、それぞれの印刷要求による印刷頁のうち一部の頁を抽出し、該抽出された一部の頁の画像を表示対象として表示する。【選択図】図３
2014079942.tif 000002
【特許請求の範囲】
【請求項１】
複数の印刷要求を一つの印刷要求として結合する印刷要求結合手段と、
前記印刷要求結合手段により結合された印刷要求に従って形成される頁のうち表示対象の頁の画像を縮小して表示する縮小表示手段と
を有し、
前記縮小表示手段は、前記印刷要求結合手段による結合対象の各印刷要求から、それぞれの印刷要求による印刷頁のうち一部の頁を抽出し、該抽出された一部の頁の画像を表示対象として表示する
画像形成装置。
【請求項２】
前記縮小表示手段は、前記印刷要求結合手段による結合対象の各印刷要求の印刷頁のうち先頭の頁をそれぞれ抽出して表示する
請求項１記載の画像形成装置。
【請求項３】
前記縮小表示手段は、抽出した頁に対する描画命令が予め定めた条件を満たす場合には、該抽出した頁の代わりに該抽出した頁の次の頁を抽出する
請求項２記載の画像形成装置。
【請求項４】
前記縮小表示手段は、前記印刷要求結合手段による結合対象のいずれかの印刷要求の印刷頁のうち先頭の頁である第１の頁と、該第１の頁についての印刷要求よりも結合順序が後の他の印刷要求の印刷頁のうち先頭の頁である第２の頁との比較結果が予め定めた条件を満たす場合に、該第２の頁に対応する印刷要求については、該第２の頁の代わりに該第２の頁の次の頁について表示する
請求項２記載の画像形成装置。
【請求項５】
前記縮小表示手段は、前記印刷要求結合手段による結合対象の各印刷要求の印刷頁のうち先頭の頁をそれぞれ抽出し、抽出したそれぞれの先頭の頁については、第１の表示方法により表示し、前記印刷要求結合手段による結合対象の各印刷要求の印刷頁のうち先頭の頁以外のいずれかの頁については、第２の表示方法で表示する
請求項２乃至４いずれか記載の画像形成装置。
【請求項６】
前記縮小表示手段は、前記印刷要求結合手段による結合対象の各印刷要求の印刷頁のうち先頭の頁をそれぞれ抽出し、抽出したそれぞれの先頭の頁について第１の大きさで表示し、前記印刷要求結合手段による結合対象の各印刷要求の印刷頁のうち先頭の頁以外のいずれかの頁について前記第１の大きさよりも小さい第２の大きさで表示する
請求項５記載の画像形成装置。
【請求項７】
前記縮小表示手段は、前記印刷要求結合手段による結合対象の各印刷要求の印刷頁のうち先頭の頁をそれぞれ抽出し、抽出したそれぞれの先頭の頁については、予め定めた表示を付加して表示し、前記印刷要求結合手段による結合対象の各印刷要求の印刷頁のうち先頭の頁以外のいずれかの頁については、該予め定めた表示を付加せずに表示する
請求項５記載の画像形成装置。
【請求項８】
前記縮小表示手段は、前記印刷要求結合手段による結合対象の各印刷要求の印刷頁のうち先頭の頁をそれぞれ抽出し、抽出したそれぞれの先頭の頁については、点滅させて表示し、前記印刷要求結合手段による結合対象の各印刷要求の印刷頁のうち先頭の頁以外のいずれかの頁については、点滅させずに表示する
請求項５記載の画像形成装置。
【請求項９】
前記縮小表示手段は、前記印刷要求結合手段による結合対象の各印刷要求による印刷頁のうち予め定めた条件を満たす描画命令に基づいて印刷される頁を抽出して表示する
請求項１記載の画像形成装置。
【請求項１０】
前記印刷要求結合手段による結合対象の各印刷要求から抽出する頁を指定する頁指定手段をさらに有し、
前記縮小表示手段は、前記頁指定手段により指定された頁を、前記印刷要求結合手段による結合対象の各印刷要求からそれぞれ抽出して表示する
請求項１記載の画像形成装置。
【請求項１１】
複数の印刷要求を一つの印刷要求として結合する印刷要求結合ステップと、
結合された印刷要求に従って形成される頁のうち表示対象の頁の画像を縮小して表示する縮小表示ステップと
をコンピュータに実行させ、
前記縮小表示ステップは、結合対象の各印刷要求から、それぞれの印刷要求による印刷頁のうち一部の頁を抽出し、該抽出された一部の頁の画像を表示対象として表示する
プログラム。
【発明の詳細な説明】
【技術分野】
【０００１】
本発明は、画像形成装置及びプログラムに関する。
【背景技術】
【０００２】
ページ物（新聞、カタログ、雑誌、本）をプリンタにて印刷を行う場合、表紙やページを作成する人が異なっている場合や、異なるクライアント（アプリ、OS等）にて作成される場合があり、表紙や各種ページがわかれてジョブとして投入されることがある。これに対し、１つのページ物におけるそれぞれのパーツを別々のジョブとしてプリンタに入力し、プリンタ側で全てのジョブを結合し、順番や面付けを自由に設定できる機能を設けたプリンタが存在する。また、視覚的にジョブ内容の確認と上記設定のための操作を行えるように全ページをサムネイル表示する機能も存在する。
【０００３】
一方、特許文献１は、第1の画像データを入力する入力手段と、該第1の画像データの一部を一旦保持するスプール手段と、該スプール手段に保持された第1の画像データに対して複数種類の画像処理を施して複数の第2の画像データを生成する画像処理手段と、前記画像処理手段において生成された複数の第2の画像データを出力する出力手段と、を有すること特徴とする画像処理装置について開示している。
【先行技術文献】
【特許文献】
【０００４】
【特許文献１】特開２０００−０８３１６１号公報
【発明の概要】
【発明が解決しようとする課題】
【０００５】
本発明の目的は、複数の印刷ジョブを結合した場合に、結合後の印刷ジョブの内容を容易に確認することができる画像形成装置及びプログラムを提供することである。
【課題を解決するための手段】
【０００６】
請求項１に係る本発明は、複数の印刷要求を一つの印刷要求として結合する印刷要求結合手段と、前記印刷要求結合手段により結合された印刷要求に従って形成される頁のうち表示対象の頁の画像を縮小して表示する縮小表示手段とを有し、前記縮小表示手段は、前記印刷要求結合手段による結合対象の各印刷要求から、それぞれの印刷要求による印刷頁のうち一部の頁を抽出し、該抽出された一部の頁の画像を表示対象として表示する画像形成装置である。
【０００７】
請求項２に係る本発明は、前記縮小表示手段は、前記印刷要求結合手段による結合対象の各印刷要求の印刷頁のうち先頭の頁をそれぞれ抽出して表示する請求項１記載の画像形成装置である。
【０００８】
請求項３に係る本発明は、前記縮小表示手段は、抽出した頁に対する描画命令が予め定めた条件を満たす場合には、該抽出した頁の代わりに該抽出した頁の次の頁を抽出する請求項２記載の画像形成装置である。
【０００９】
請求項４に係る本発明は、前記縮小表示手段は、前記印刷要求結合手段による結合対象のいずれかの印刷要求の印刷頁のうち先頭の頁である第１の頁と、該第１の頁についての印刷要求よりも結合順序が後の他の印刷要求の印刷頁のうち先頭の頁である第２の頁との比較結果が予め定めた条件を満たす場合に、該第２の頁に対応する印刷要求については、該第２の頁の代わりに該第２の頁の次の頁について表示する請求項２記載の画像形成装置である。
【００１０】
請求項５に係る本発明は、前記縮小表示手段は、前記印刷要求結合手段による結合対象の各印刷要求の印刷頁のうち先頭の頁をそれぞれ抽出し、抽出したそれぞれの先頭の頁については、第１の表示方法により表示し、前記印刷要求結合手段による結合対象の各印刷要求の印刷頁のうち先頭の頁以外のいずれかの頁については、第２の表示方法で表示する請求項２乃至４いずれか記載の画像形成装置である。
【００１１】
請求項６に係る本発明は、前記縮小表示手段は、前記印刷要求結合手段による結合対象の各印刷要求の印刷頁のうち先頭の頁をそれぞれ抽出し、抽出したそれぞれの先頭の頁について第１の大きさで表示し、前記印刷要求結合手段による結合対象の各印刷要求の印刷頁のうち先頭の頁以外のいずれかの頁について前記第１の大きさよりも小さい第２の大きさで表示する請求項５記載の画像形成装置である。
【００１２】
請求項７に係る本発明は、前記縮小表示手段は、前記印刷要求結合手段による結合対象の各印刷要求の印刷頁のうち先頭の頁をそれぞれ抽出し、抽出したそれぞれの先頭の頁については、予め定めた表示を付加して表示し、前記印刷要求結合手段による結合対象の各印刷要求の印刷頁のうち先頭の頁以外のいずれかの頁については、該予め定めた表示を付加せずに表示する請求項５記載の画像形成装置である。
【００１３】
請求項８に係る本発明は、前記縮小表示手段は、前記印刷要求結合手段による結合対象の各印刷要求の印刷頁のうち先頭の頁をそれぞれ抽出し、抽出したそれぞれの先頭の頁については、点滅させて表示し、前記印刷要求結合手段による結合対象の各印刷要求の印刷頁のうち先頭の頁以外のいずれかの頁については、点滅させずに表示する請求項５記載の画像形成装置である。
【００１４】
請求項９に係る本発明は、前記縮小表示手段は、前記印刷要求結合手段による結合対象の各印刷要求による印刷頁のうち予め定めた条件を満たす描画命令に基づいて印刷される頁を抽出して表示する請求項１記載の画像形成装置である。
【００１５】
請求項１０に係る本発明は、前記印刷要求結合手段による結合対象の各印刷要求から抽出する頁を指定する頁指定手段をさらに有し、前記縮小表示手段は、前記頁指定手段により指定された頁を、前記印刷要求結合手段による結合対象の各印刷要求からそれぞれ抽出して表示する請求項１記載の画像形成装置である。
【００１６】
請求項１１に係る本発明は、複数の印刷要求を一つの印刷要求として結合する印刷要求結合ステップと、結合された印刷要求に従って形成される頁のうち表示対象の頁の画像を縮小して表示する縮小表示ステップとをコンピュータに実行させ、前記縮小表示ステップは、結合対象の各印刷要求から、それぞれの印刷要求による印刷頁のうち一部の頁を抽出し、該抽出された一部の頁の画像を表示対象として表示するプログラムである。
【発明の効果】
【００１７】
請求項１に係る本発明によれば、本構成を有しない場合に比較して、複数の印刷ジョブを結合した場合に、結合後の印刷ジョブの内容を容易に確認することができる画像形成装置を提供することができる。
【００１８】
請求項２に係る本発明によれば、請求項１に係る本発明の効果に加え、結合対象の各印刷ジョブにおける区切りを確認することができる画像形成装置を提供することができる。
【００１９】
請求項３に係る本発明によれば、請求項２に係る本発明の効果に加え、確認において不必要なページを除いて表示することができる画像形成装置を提供することができる。
【００２０】
請求項４に係る本発明によれば、請求項２に係る本発明の効果に加え、結合対象の印刷ジョブにおいて、結合対象の他の印刷ジョブとの関係から確認に不必要と判定されるページについて除いて表示することができる画像形成装置を提供することができる。
【００２１】
請求項５に係る本発明によれば、請求項２乃至４いずれかに係る本発明の効果に加え、結合対象の各ジョブの先頭ページ以外のページも表示しつつ、結合対象の各印刷ジョブにおける区切りを確認することができる画像形成装置を提供することができる。
【００２２】
請求項６に係る本発明によれば、請求項５に係る本発明の効果に加え、表示される画像の大きさにより結合対象の各印刷ジョブにおける区切りを確認することができる画像形成装置を提供することができる。
【００２３】
請求項７に係る本発明によれば、請求項５に係る本発明の効果に加え、付加された表示の有無により結合対象の各印刷ジョブにおける区切りを確認することができる画像形成装置を提供することができる。
【００２４】
請求項８に係る本発明によれば、請求項５に係る本発明の効果に加え、点滅表示の有無により結合対象の各印刷ジョブにおける区切りを確認することができる画像形成装置を提供することができる。
【００２５】
請求項９に係る本発明によれば、請求項１に係る本発明の効果に加え、確認において必要とされるページを抽出して表示することができる画像形成装置を提供することができる。
【００２６】
請求項１０に係る本発明によれば、請求項１に係る本発明の効果に加え、任意のページを選択して表示することができる画像形成装置を提供することができる。
【００２７】
請求項１１に係る本発明によれば、本構成を有しない場合に比較して、複数の印刷ジョブを結合した場合に、結合後の印刷ジョブの内容を容易に確認することができるプログラムを提供することができる。
【図面の簡単な説明】
【００２８】
【図１】本発明の一実施形態の画像形成システムのシステム構成を示す図である。
【図２】本発明の一実施形態における画像形成装置４のハードウェア構成を示す図である。
【図３】本発明の一実施形態における画像形成装置４の機能構成を示すブロック図である。
【図４】印刷要求格納部３２が格納する印刷要求の一覧を示す表であり、（ａ）は、印刷ジョブが結合される前の状態を示し、（ｂ）は、結合ジョブが生成された状態を示す。
【図５】縮小表示部３８が結合ジョブについて縮小表示する場合の一例を示す模式図である。
【図６】結合ジョブの全てのページを縮小表示した場合を示す比較例の模式図である。
【図７】縮小表示部３８が、先頭ページの変わりに先頭ページの次のページを表示する場合の一例を示した模式図である。
【図８】縮小表示部３８が結合ジョブについて縮小表示する場合に予め定めた条件を満たすページを各印刷ジョブから抽出して縮小表示する例を示す模式図である。
【図９】縮小表示部３８が、各印刷ジョブについて指定されたページを縮小表示する場合の一例を示す模式図である。
【図１０】結合対象の各印刷ジョブの先頭ページか否かによって表示の大きさを異ならせる場合における一例を示す模式図である。
【図１１】結合対象の各印刷ジョブの先頭ページか否かによって、予め定めた表示の付加の有無が異なる場合における一例を示す模式図である。
【図１２】本発明の一実施形態における画像形成装置４による動作の一例を示すフローチャートである。
【発明を実施するための形態】
【００２９】
次に、本発明の実施の形態について図面を参照して詳細に説明する。図１は本発明の一実施形態の画像形成システムの構成を示す図である。
【００３０】
本発明の一実施形態の画像形成システムは、図１に示されるように、ネットワーク２により相互に接続された画像形成装置４、および端末装置６により構成される。端末装置６は、印刷ジョブ（印刷要求）を生成して、ネットワーク２経由にて生成した印刷ジョブを画像形成装置４に対して送信する。画像形成装置４は、端末装置６から送信された印刷ジョブを受け付けて、印刷ジョブに応じた画像を用紙などの記録媒体の上に出力する。なお、画像形成装置４は、印刷（プリント）機能を備えており、さらに、スキャン機能、複写（コピー）機能、ファクシミリ機能等の他の機能を備えていてもよい。
【００３１】
画像形成装置４は、後述するように、複数の印刷ジョブを受付け、受付けた複数の印刷ジョブを結合し、１つの印刷ジョブとして画像を記録媒体に出力する。なお、図１に図示した端末装置６は、１台であるが、端末装置６は複数であってもよく、画像形成装置４は、複数の端末装置６から送信された印刷ジョブを結合して１つの印刷ジョブとしてもよい。なお、以下の説明において、複数の印刷ジョブを結合して生成される１つの印刷ジョブについて、結合ジョブということがある。
【００３２】
次に、本実施形態の画像形成システムにおける画像形成装置４のハードウェア構成を図２に示す。
【００３３】
画像形成装置４は、図２に示されるように、ＣＰＵ１０、メモリ１２、ハードディスクドライブ（ＨＤＤ）等の記憶装置１４、ネットワーク２を介して外部の装置等との間でデータの送信及び受信を行う通信インタフェース（ＩＦ）１６、タッチパネル又は液晶ディスプレイ並びにキーボードを含むユーザインタフェース（ＵＩ）装置１８、プリントエンジン２０を有する。これらの構成要素は、制御バス２２を介して互いに接続されている。
【００３４】
ＣＰＵ１０は、メモリ１２または記憶装置１４に格納された制御プログラムに基づいて処理を実行して、画像形成装置４の動作を制御する。
【００３５】
なお、本実施形態では、ＣＰＵ１０は、メモリ１２または記憶装置１４内に格納された制御プログラムを読み出して実行するものとして説明したが、当該プログラムをＣＤ−ＲＯＭ等の記憶媒体に格納してＣＰＵ１０に提供することも可能である。
【００３６】
図３は、上記の制御プログラムが実行されることにより実現される画像形成装置４の機能構成を示すブロック図である。
【００３７】
本実施形態の画像形成装置４は、図３に示されるように、印刷要求受付部３０と、印刷要求格納部３２と、印刷要求結合部３４と、画像展開部３６と、縮小表示部３８と、出力設定部４０と、印刷制御部４２と、画像出力部４４とを備えている。
【００３８】
なお、印刷ジョブに対し、画像展開処理及び画像出力処理がなされることにより、記録媒体上に画像が形成される。ここで、画像展開処理とは、ポストスクリプト形式のような印刷データを、ラスタ形式の画像データに変換する展開処理である。そして、画像出力処理とは、生成された画像データに基づいて、印刷用紙上に画像を印刷する処理である。
【００３９】
印刷要求受付部３０は、端末装置６から送信されてきた印刷ジョブ（印刷要求）を受け付けて、印刷要求格納部３２に格納する。
【００４０】
印刷要求結合部３４は、印刷要求格納部３２に格納されている複数の印刷ジョブを１つの印刷ジョブとして結合する。印刷要求結合部３４は、例えば、ＵＩ装置１８を介した入力により指定された複数の印刷ジョブを結合する。
【００４１】
図４は、印刷要求格納部３２が格納する印刷ジョブの一覧を示す表であり、図４（ａ）は、印刷ジョブが結合される前の状態を示し、図４（ｂ）は、印刷要求結合部３４により結合ジョブが生成された状態を示す。図４に示した例では、印刷ジョブ「ＡＡＡ」〜「ＥＥＥ」の５つの印刷ジョブが結合され、結合ジョブ「Ｂｕｉｌｄ＿ＡＡＡ」が生成されている。
【００４２】
例えば、新聞、カタログ、雑誌、本などのように複数のページからなる印刷物については、内容（表紙、章など）ごとに複数の印刷ジョブとなる場合があり、これら複数の印刷ジョブを結合することがある。
【００４３】
画像展開部３６は、印刷要求格納部３２に格納された印刷ジョブに基づいて、画像出力部４４において出力するための形式の画像データを生成する。
【００４４】
縮小表示部３８は、画像展開部３６により生成された画像データに基づいて、表示対象の画像を縮小して表示（サムネイル表示）する。また、印刷要求結合部３４により結合された印刷ジョブについて縮小表示する場合、縮小表示部３８は、結合ジョブを構成している結合対象の各印刷ジョブから、それぞれの印刷ジョブによる印刷ページのうち一部のページを抽出し、この抽出された一部のページの画像を表示対象として並べて縮小表示する。なお、縮小表示部３８は、例えば、ＵＩ装置１８に縮小画像を表示する。なお、縮小表示部３８は、結合ジョブではない印刷ジョブについては、当該印刷ジョブの印刷ページ全てを縮小して表示する。
【００４５】
出力設定部４０は、画像出力部４４による出力の設定をする。例えば、縮小表示部３８により表示されたサムネイル表示に対するＵＩ装置１８を介した入力に基づいて、出力の設定を行う。出力設定部４０は、例えば、結合ジョブに対し、印刷ジョブの結合順序を変更する編集や、面付けを編集する設定などを行う。
【００４６】
印刷制御部４２は、印刷ジョブに対する画像出力処理を行うよう画像出力部４４を制御する。
【００４７】
画像出力部４４は、印刷制御部４２による制御に従って、印刷ジョブに基づいた画像を出力する。
【００４８】
次に、結合ジョブに対する縮小表示部３８による表示について説明する。
【００４９】
上述のように、縮小表示部３８は、結合ジョブについて縮小表示する場合、結合対象の印刷ジョブそれぞれから一部のページを抽出し、この抽出されたページの画像を縮小表示する。
【００５０】
図５は、縮小表示部３８が結合ジョブについて縮小表示する場合の一例を示す模式図である。なお、図５及び以下の図６〜１１に示す例では、ＵＩ装置１８の表示画面上の縮小画像表示領域５０に、上述の印刷ジョブ「ＡＡＡ」〜「ＥＥＥ」を結合した結合ジョブ「Ｂｕｉｌｄ＿ＡＡＡ」について、縮小表示する例を示しており、ハッチングされた部分が各ページの縮小画像を示している。なお、ハッチング部分には、説明のため、結合前のジョブ名と結合前のジョブにおけるページ番号とを「ジョブ名−ページ番号」という形式で記載しているが、実際には、画像展開部３６により展開された当該ジョブにおける当該ページの画像が縮小表示されている。
【００５１】
図５に示した例では、縮小表示部３８は、印刷要求結合部３４による結合対象の各印刷要求の印刷ページのうち先頭のページをそれぞれ抽出して表示している。具体的には、印刷ジョブ「ＡＡＡ」における印刷ページのうち先頭のページ、印刷ジョブ「ＢＢＢ」における印刷ページのうち先頭のページ、印刷ジョブ「ＣＣＣ」における印刷ページのうち先頭のページ、印刷ジョブ「ＤＤＤ」における印刷ページのうち先頭のページ、及び印刷ジョブ「ＥＥＥ」における印刷ページのうち先頭のページが、それぞれ結合対象の印刷ジョブから抽出され縮小表示されている。
【００５２】
一方、図６は、結合ジョブの全てのページを縮小表示した場合を示す比較例の模式図である。図６に示した比較例では、結合された各印刷ジョブによるページが一様に表示されており（上述のように、図中では、「ジョブ名−ページ番号」が記載されているが、実際には、画像が表示されている）、例えば、結合ジョブを構成する各印刷ジョブを簡易的に確認したい場合や、印刷ジョブの順序を変更するために印刷ジョブの区切り箇所を確認したい場合などがあっても、図５に比較して、確認が難しい。
【００５３】
図７は、縮小表示部３８が、先頭ページの変わりに先頭ページの次のページを表示する場合の一例を示した模式図である。
【００５４】
図５に示した例では、各印刷ジョブにおける先頭ページを抽出する例を示したが、先頭ページが白紙ページ又はセパレータなどのページである場合には、図７に示すように、縮小表示部３８は、先頭のページに次のページを表示してもよい。なお、図７に示した例では、印刷ジョブ「ＢＢＢ」の先頭ページが白紙ページのため、印刷ジョブ「ＢＢＢ」の２ページ目が縮小表示されている様子を示している。
【００５５】
このように、縮小表示部３８は、抽出したページに対する描画命令が予め定めた条件を満たす場合には、代わりに次のページを抽出し、縮小表示してもよい。例えば、抽出したページの描画命令の解析結果が、白紙ページやセパレータなどを示す条件と合致した場合には、当該ページに代えての当該ページの次のページを抽出する。なお、抽出された次のページも白紙ページやセパレータなどを示す条件に合致した場合には、さらに次のページを抽出してもよい。
【００５６】
また、縮小表示部３８は、印刷要求結合部３４による結合対象のいずれかの印刷ジョブの印刷ページのうち先頭のページである第１のページと、この第１のページについての印刷ジョブよりも結合順序が後の他の印刷ジョブの印刷ページのうち先頭のページである第２のページとの比較結果が予め定めた条件を満たす場合に、第２のページに対応する印刷ジョブについては、第２のページの代わりに第２のページの次のページについて表示するようにしてもよい。
【００５７】
上述の結合ジョブ「Ｂｕｉｌｄ＿ＡＡＡ」を例に説明すると、例えば、印刷ジョブ「ＡＡＡ」の先頭ページ（第１のページ）と、印刷ジョブ「ＡＡＡ」よりも結合順序が後ろである印刷ジョブ「ＢＢＢ」の先頭ページ（第２のページ）が、いずれも表紙を構成するページであった場合に、印刷ジョブ「ＢＢＢ」については先頭ページ（表紙のページ）の代わりに、先頭ページの次のページを縮小表示する。なお、比較結果が予め定めた条件を満たす場合とは、例えば、描画命令に示される当該ページの属性（表紙ページ、セパレータ、本文ページなどのいずれであるかを示す属性）が特定の属性（例えば、表紙ページ又はセパレータ）であり、かつ、上記第１のページと上記第２のページとで同じ属性の場合などをいう。
【００５８】
また、縮小表示部３８は、印刷要求結合部３４による結合対象の各印刷ジョブによる印刷ページのうち予め定めた条件を満たす描画命令に基づいて印刷されるページを抽出して縮小表示するようにしてもよい。予め定めた条件とは、例えば、イメージオブジェクトを含むページである、透かし処理を含むページである、オブジェクトの重ね合わせ処理を含むページである、などが挙げられる。
【００５９】
図８は、縮小表示部３８が結合ジョブについて縮小表示する場合に予め定めた条件を満たすページを各印刷ジョブから抽出して縮小表示する例を示す模式図である。図８に示されるように、縮小表示部３８は、結合対象の各ジョブから、予め定めた条件を満たす描画命令に基づいて印刷されるページを抽出して縮小表示している。
【００６０】
なお、縮小表示部３８は、結合対象の各印刷ジョブの印刷ページのうち先頭のページをそれぞれ抽出し、さらに、上述のように結合対象の各印刷ジョブによる印刷ページのうち予め定めた条件を満たす描画命令に基づいて印刷されるページについても抽出して、これら抽出したページを縮小表示してもよい。
【００６１】
また、縮小表示部３８は、印刷要求結合部３４による結合対象の各印刷ジョブから抽出するページについての指定を受け、指定された頁を、結合対象の各印刷ジョブからそれぞれ抽出して縮小表示してもよい。
【００６２】
図９は、縮小表示部３８が、各印刷ジョブについて指定されたページを縮小表示する場合の一例を示す模式図である。図９に示すように、例えば、ページ指定部５２において指定された各印刷ジョブにおけるページを縮小表示する。
【００６３】
なお、縮小表示部３８は、結合対象の各印刷ジョブの先頭のページに加え、さらに、ページ指定部５２において指定された各印刷ジョブにおけるページを縮小表示するようにしてもよい。
【００６４】
さらに、縮小表示部３８は、印刷要求結合部３４による結合対象の各印刷ジョブの印刷ページのうち先頭のページをそれぞれ抽出し、抽出したそれぞれの先頭のページについては、第１の表示方法により表示し、結合対象の各印刷要求の印刷ページのうち先頭のページ以外のいずれかのページについては、第２の表示方法で表示するようにしてもよい。例えば、第１の表示方法は、第２の表示方法よりも目立つ表示方法とする。なお、第２の表示方法で表示されるページは、各印刷ジョブにおける先頭ページ以外の全てのページあってもよいし、上述のように、予め定めた条件を満たす描画命令に基づいて印刷されるページに限ってもよい。
【００６５】
図１０は、結合対象の各印刷ジョブの先頭ページか否かによって表示の大きさを異ならせる場合における一例を示す模式図である。このように、各印刷ジョブの先頭のページについて第１の大きさで表示し、各印刷ジョブの先頭のページ以外のページについて上記第１の大きさよりも小さい第２の大きさで表示してもよい。
【００６６】
図１１は、結合対象の各印刷ジョブの先頭ページか否かによって、予め定めた表示の付加の有無が異なる場合における一例を示す模式図である。図１１に示した例では、各印刷ジョブの先頭のページについては、予め定めた表示５４が付加され、各印刷ジョブの先頭のページ以外のページについては、予め定めた表示５４が付加されていない。なお、図１１に示した例では、先頭ページの周辺に予め定めた表示５４を示しているが、この他にも、予め定めた表示として、先頭ページを示す縮小画像の周縁を囲う表示を行うなどしてもよい。
【００６７】
また、各印刷ジョブの先頭のページについては点滅表示させ、各印刷ジョブの先頭のページ以外のページについて点滅表示させずに通常の表示を行うようにしてもよい。
【００６８】
次に、本実施形態における画像形成装置４の動作を説明する。
図１２は、画像形成装置４による動作の一例を示すフローチャートである。
【００６９】
ステップ１００（Ｓ１００）において、印刷要求受付部３０は、印刷ジョブを受付け、印刷要求格納部３２に格納する。
【００７０】
ステップ１０２（Ｓ１０２）において、印刷ジョブの結合を指示する入力があった場合には、ステップ１０４へ移行し、印刷ジョブの結合を指示する入力がない場合にはステップ１０６へと移行する。
【００７１】
ステップ１０４（Ｓ１０４）において、印刷要求結合部３４は、指定された複数の印刷ジョブを１つの印刷ジョブとして結合する。
【００７２】
ステップ１０６（Ｓ１０６）において、画像展開部３６は、印刷ジョブに基づいて、画像データを生成する。
【００７３】
ステップ１０８（Ｓ１０８）において、出力対象の印刷ジョブが結合ジョブであるか否かを判定し、結合ジョブである場合には、ステップ１１０へ移行し、結合ジョブでない場合には、ステップ１１２へ移行する。
【００７４】
ステップ１１０（Ｓ１１０）において、縮小表示部３８は、結合ジョブを構成している結合対象の各印刷ジョブから、それぞれの印刷ジョブによる印刷ページのうち一部のページを抽出し、この抽出された一部のページの画像を表示対象として縮小表示する。
【００７５】
例えば、縮小表示部３８は、結合ジョブに対し、図５、図７〜図１１などにより説明した上述の縮小表示を行う。
【００７６】
なお、上述のいずれの縮小表示を結合ジョブに対して行うかは、例えばＵＩ装置１８を介して指定されてもよい。
【００７７】
一方、ステップ１１２（Ｓ１１２）では、縮小表示部３８は、結合ジョブではない印刷ジョブについて、当該印刷ジョブの印刷ページ全てについて縮小表示する。
【００７８】
ステップ１１４（Ｓ１１４）において、画像出力部４４は、印刷制御部４２による制御に従って、印刷ジョブに基づいた画像を出力する。なお、ステップ１１０又はステップ１１２において表示された縮小画像に基づく出力設定の編集を経て、画像が出力されてもよい。
【符号の説明】
【００７９】
４        ：画像形成装置
６        ：端末装置
３０      ：印刷要求受付部
３２      ：印刷要求格納部
３４      ：印刷要求結合部
３６      ：画像展開部
３８      ：縮小表示部
４０      ：出力設定部
４２      ：印刷制御部
４４      ：画像出力部
【図１】
2014079942.tif 000003
【図２】
2014079942.tif 000004
【図３】
2014079942.tif 000005
【図４】
2014079942.tif 000006
【図５】
2014079942.tif 000007
【図６】
2014079942.tif 000008
【図７】
2014079942.tif 000009
【図８】
2014079942.tif 000010
【図９】
2014079942.tif 000011
【図１０】
2014079942.tif 000012
【図１１】
2014079942.tif 000013
【図１２】
2014079942.tif 000014